(57)【要約】  【課題】  コマ画像に対応するコマナンバーが微妙な位置であっても確実に対応付ける表示が可能なフィルム画像読取装置を提供する。  【解決手段】  現像済みフィルムから画像情報を読み取る固体撮像素子と、前記固体撮像素子により読み込まれた画像情報からコマ画像領域を検出するコマ画像検出手段と、前記画像情報からコマナンバーを検出するコマナンバー検出手段と、検出されたコマ画像とコマナンバーを対応付けて表示する表示手段を備えてなり、前記コマナンバー検出手段により検出されたコマナンバーの中心位置からフィルム長手方向に沿った前記コマ画像幅の半値（１／２）Ｌ内に画像中心が存在するコマ画像に当該コマナンバーを対応づけるように識別するコマナンバー識別手段を設け、前記表示手段は識別されたコマナンバーをコマ画像と対応付けて表示するように構成する。  【選択図】  図３
2005204209.tif 000002
【特許請求の範囲】
【請求項１】
現像済みフィルムから画像情報を読み取る固体撮像素子と、前記固体撮像素子により読み込まれた画像情報からコマ画像領域を検出するコマ画像検出手段と、前記画像情報からコマナンバーを検出するコマナンバー検出手段と、検出されたコマ画像とコマナンバーを対応付けて表示する表示手段を備えてなるフィルム画像読取装置であって、
前記コマ画像検出手段により検出されたコマ画像のフィルム長手方向のコマ画像幅Ｌに存在するコマナンバーの全てを当該コマ画像に対応するコマナンバーとして識別するコマナンバー識別手段を設け、前記表示手段は識別されたコマナンバーをコマ画像と対応付けて表示するように構成してあるフィルム画像読取装置。
【請求項２】
前記コマナンバー識別手段は、前記コマナンバー検出手段により検出されたコマナンバーの中心位置からフィルム長手方向に沿った前記コマ画像幅の半値（１／２）Ｌ内に画像中心が存在するコマ画像に当該コマナンバーを対応づけるように識別する請求項１記載のフィルム画像読取装置。
【発明の詳細な説明】
【技術分野】
【０００１】
本発明は、現像済みフィルムから画像情報を読み取る固体撮像素子と、前記固体撮像素子により読み込まれた画像情報からコマ画像領域を検出するコマ画像検出手段と、前記画像情報からコマナンバーを検出するコマナンバー検出手段と、検出されたコマ画像とコマナンバーを対応付けて表示する表示手段を備えてなるフィルム画像読取装置に関する。
【背景技術】
【０００２】
顧客が写真フィルムの焼増し注文をする際に、コマナンバーを指定してプリントサイズや枚数などを注文する場合がある。そこで、従来のフィルム画像読取装置では、コマナンバー識別手段を、コマナンバー検出手段により検出されたコマナンバーのうちで、コマ画像検出手段により検出されたコマ画像のフィルム長手方向の画像中心に最も近いコマナンバーを当該コマ画像に対応するコマナンバーとして識別するように構成し、表示手段に検出されたコマ画像とコマナンバーを対応付けて表示することで、オペレータが表示を目視しながら焼増しの対象となるコマ画像を認識して、対象コマ画像の焼増し枚数などの設定入力を行なっていた。
【特許文献１】特開平３−１８９６３６号公報
【発明の開示】
【発明が解決しようとする課題】
【０００３】
しかし、上述した従来のフィルム画像読取装置では、顧客の認識したコマナンバーと装置が識別したコマナンバーとが対応しない場合があり、その場合には、オペレータはプリント対象コマを特定するために作業を中断して、装置からフィルムを排出させて、手作業でフィルムを目視しながら顧客の指定したコマナンバーに対応するコマ画像を確認し、その後再度装置にフィルムを装着して設定入力作業を行なうという煩雑な作業が要求されるという問題があった。
【０００４】
本発明は、上述の従来欠点に鑑み、コマ画像に対応するコマナンバーが微妙な位置であっても確実に対応付ける表示が可能なフィルム画像読取装置を提供する点にある。
【課題を解決するための手段】
【０００５】
上述の目的を達成するため、本発明によるフィルム画像読取装置の第一の特徴構成は、特許請求の範囲の書類の請求項１に記載した通り、現像済みフィルムから画像情報を読み取る固体撮像素子と、前記固体撮像素子により読み込まれた画像情報からコマ画像領域を検出するコマ画像検出手段と、前記画像情報からコマナンバーを検出するコマナンバー検出手段と、検出されたコマ画像とコマナンバーを対応付けて表示する表示手段を備えてなるフィルム画像読取装置であって、前記コマ画像検出手段により検出されたコマ画像のフィルム長手方向のコマ画像幅Ｌに存在するコマナンバーの全てを当該コマ画像に対応するコマナンバーとして識別するコマナンバー識別手段を設け、前記表示手段は識別されたコマナンバーをコマ画像と対応付けて表示するように構成してある点にある。
【０００６】
上述の構成によれば、コマナンバー識別手段が、コマ画像のフィルム長手方向のコマ画像幅Ｌに存在するコマナンバーの全てを当該コマ画像に対応するコマナンバーとして識別することになるので、微妙な位置にあるコマナンバーであっても確実に表示手段により表示されるので、オペレータは表示を目視しながら作業を円滑に進めることができるようになった。
【０００７】
同第二の特徴構成は、同請求項２に記載した通り、上述の第一特徴構成に加えて、前記コマナンバー識別手段は、前記コマナンバー検出手段により検出されたコマナンバーの中心位置からフィルム長手方向に沿った前記コマ画像幅の半値（１／２）Ｌ内に画像中心が存在するコマ画像に当該コマナンバーを対応づけるように識別する点にある。
【０００８】
つまり、検出されたコマナンバーを中心としてフィルムの長手方向の前後にコマ画像の画像幅を想定し、その画像幅に実際のコマ画像のセンター位置が含まれるコマ画像が、当該コマナンバーの属する画像と識別するのである。
【発明の効果】
【０００９】
以上説明した通り、本発明によれば、コマ画像に対応するコマナンバーが微妙な位置であっても確実に対応付ける表示が可能なフィルム画像読取装置を提供することができるようになった。
【発明を実施するための最良の形態】
【００１０】
以下に本発明によるフィルム画像読取装置の実施の形態を説明する。図１に示すように、現像済みフィルムに記録された画像データを光電的に読み取る画像入力部１０と、画像入力部１０による画像入力動作を制御する画像入力制御部２０と、画像入力部１０で読み取られた画像データを所定のアルゴリズムに従って画像処理して出力用の画像データを生成する画像処理部３０を備えたフィルム画像読取装置４０と、前記フィルム画像読取装置４０から出力される画像データに基づいて印画紙を走査露光して画像を記録し、露光済みの印画紙を現像処理して写真プリントを出力する画像出力装置５０とからデジタル方式の写真処理装置が構成される。
【００１１】
前記画像出力装置５０は、ロール状の印画紙Ｐが収容されたマガジン５２と、マガジン５２から印画紙Ｐを引き出し搬送経路に沿って搬送するアドバンスローラ５３や露光用搬送ローラ５４と、搬送経路に配置され、印画紙Ｐを所定サイズに切断するカッター５５と、搬送経路の露光位置に配置され、フィルム画像入力装置４０により読み取られ、所要の画像処理が施された画像データに基づいて印画紙Ｐに画素単位で画像を焼き付け露光するレーザ方式の露光エンジン５１と、露光後の印画紙Ｐを現像処理する現像部５６と、現像処理後の印画紙Ｐを乾燥処理する乾燥処理部５７と、上述した各機能ブロックを作動制御する制御部５８などを備えて構成される。
【００１２】
前記画像入力部１０について詳述すると、ハロゲンランプ１と、ハロゲンランプ１からの光線束を拡散するミラートンネル２と、拡散された光線束をフィルムＦの短幅方向のスリット光に絞るスリット３とからなる赤外波長域を含むフィルム画像読取用の光線束を照射する光源部１００と、スリット３からフィルムＦを通過した光線束を結像する結像レンズユニット４と、Ｒ（赤），Ｇ（緑），Ｂ（青）の画像成分毎にフィルム画像を読み取る３本の受光部を備えた固体撮像素子としてのリニアＣＣＤセンサ５と、リニアＣＣＤセンサ５の出力信号を増幅する増幅回路６と、増幅回路６の出力信号をサンプルホールドして量子化するＡ／Ｄコンバータ７を備えてなる画像データ入力部１１０と、フィルムを自動搬送するフィルムキャリア９を備えて構成される。
【００１３】
前記フィルムキャリア９は、３５ｍｍフィルムなどの長尺状のフィルムＦを矢示の方向に搬送する上下一対の搬送ローラ９２、９３と、搬送ローラ９２、９３を駆動するパルスモータ９４と、フィルムＦを位置決めするネガマスク９１とを備えて構成される。
【００１４】
前記画像入力制御部２０は、光源１の点灯、消灯、点灯光量の制御、固体撮像素子５の駆動制御、増幅回路６のゲインやオフセット等の調整制御、フィルムキャリア９によるフィルムＦの搬送制御等を実行する制御用ＣＰＵとその実行プログラムを格納したＲＯＭや各種の制御データを格納するＲＡＭ等を備えてなり、複数の受光部がネガフィルムＦの幅方向に沿ってＲ，Ｇ，Ｂ夫々１列に配列されたフィルム画像読取用のリニアＣＣＤセンサ５により主走査方向の読み取りが行なわれ、その配列方向と直交する方向にフィルムＦが搬送されて副走査方向の読み取りが行なわれるようにフィルムキャリア９や光源１等を制御する。
【００１５】
前記画像処理部３０は、画像処理を行なうＣＰＵとその実行プログラムが格納されたＲＯＭと画像データ等を格納するＲＡＭ等を備えて構成され、機能ブロックに分割して説明すると、図２に示すように、画像データ入力手段１１０のＡ／Ｄコンバータ７によりデジタルデータに変換されたＲ，Ｇ，Ｂの各フィルム画像データからコマ画像領域を検出するコマ画像検出手段３１と、コマ画像領域に上下位置に配置されたコマナンバーを検出するコマナンバー検出手段３２と、コマ画像検出手段により検出されたコマ画像のフィルム長手方向のコマ画像幅Ｌに存在するコマナンバーの全てを当該コマ画像に対応するコマナンバーとして識別するコマナンバー識別手段３３と、検出されたコマ画像とコマナンバーを格納する画像メモリ３６と、画像メモリ３６に格納されたコマ画像に対してカラー補正などの所要の画像変換処理を施す画像変換手段３４と、コマ画像及びコマナンバーを対応付けて表示する表示手段３５としてのモニタを備えて構成される。
【００１６】
前記コマ画像検出手段３１は、図３（ａ）に示すように、入力されたファイルム画像からフィルム地肌レベルとは異なるレベルの画素領域をコマ画像領域Ｆ１、Ｆ２，Ｆ３，Ｆ４として識別すべく、フィルムの長手方向に沿ってコマ画像のエッジを検出し、地肌から画像領域のエッジと画像領域から地肌へのエッジで囲まれた領域をコマ画像領域と判断して抽出し、読み込まれた順番にコマ画像を画像メモリ３６に格納する。
【００１７】
前記コマナンバー検出手段３２は、コマ画像領域の上下に配置されたコマナンバーＮに対応する画像領域を検出して文字認識することによりコマナンバーを導出する。図３（ｂ）に示すように、前記コマナンバー識別手段３３は、コマナンバー検出手段３２により検出されたコマナンバーの中心位置からフィルム長手方向に沿った前記コマ画像幅の半値（１／２）Ｌ内に画像中心が存在するコマ画像に当該コマナンバーを対応づけるように識別する。つまり、検出されたコマナンバーを中心としてフィルムの長手方向の前後にコマ画像の画像幅Ｌを想定し、その画像幅に実際のコマ画像のセンター位置が含まれるコマ画像が、当該コマナンバーの属する画像と識別する。具体的には、コマ画像検出手段３２により検出されたコマ画像のフィルム長手方向の距離Ｌの１／２の距離だけコマナンバーの中心から左右に広げた距離の中にコマ画像の中心Ｃが含まれるか否かを判断し、含まれる場合に当該コマ画像に対応するコマナンバーと識別するのである。図３（ｂ）はコマナンバー６Ａが何れのコマ画像に識別されるかを説明するもので、パターン１では、コマナンバー６Ａは左のコマ画像（Ａ）に対応すると識別され、パターン２では、コマナンバー６Ａは何れのコマ画像にも対応しないと識別され、パターン３では、コマナンバー６Ａは右のコマ画像（Ｂ）に対応すると識別される。これらの対応関係は画像メモリ３６に格納される。
【００１８】
前記表示手段３５は、図４に示すように、画面上にコマ画像と当該コマ画像に対応する全てのコマナンバーを関係付けて表示する。このような表示によりオペレータは顧客の注文に基づいて指定されたコマナンバーのコマ画像を的確に認識することができるようになるのである。尚、従前では、コマ画像検出手段により検出されたコマ画像の中心に最も近いコマナンバーを当該コマ画像に対応するコマナンバーと識別されていたために、図３（ｂ）の何れのパターンでもコマナンバー６Ａは表示されることがなかったのである。
【００１９】
このようにして表示手段３５に表示されたコマ画像に対して、プリント対象コマ、プリントサイズ、プリント枚数、色や濃度補正データ等のプリント条件が入力され、それらの入力条件に基づいて画像変換手段３４が最終出力画像に変換処理して画像出力装置５０に出力するように構成してある。
【００２０】
以下、図３（ａ）に示すようなピースネガフィルムＦに対して焼増し注文がありリプリント処理する場合の上述した各処理ブロックにおける動作を、図５に示すフローチャートに基づいて説明する。同図に示すように、ピースネガフィルムＦには、コマ画像Ｆ１，Ｆ２，Ｆ３，Ｆ４が写っており、コマ画像Ｆ１を２枚、コマ画像Ｆ３を１枚焼増しすることを想定する。コマ画像Ｆ１，Ｆ３の上下位置にはコマナンバーＮが記録されている。
【００２１】
ネガマスク９１にフィルムＦがセットされると（Ｓ１）、画像データ入力手段１１０によりＲ，Ｇ，Ｂの各フィルム画像データが読み込まれる（Ｓ２）。コマ画像検出手段３１によりフィルム画像データからコマ画像データが検出され、シェーディング補正された後に、フィルムの先端所定位置からの距離情報とともにコマ画像データが画像メモリ３６に格納される（Ｓ３）。一方、コマナンバー検出手段３２によりコマナンバーが読み込まれ、同様に、フィルムの先端所定位置からの距離情報とともにコマナンバーが画像メモリ３６に格納される（Ｓ４）。
【００２２】
次に、コマナンバー識別手段３３が上述の手順でコマ画像に対応するコマナンバーを識別して対応関係を画像メモリ３６に記憶する（Ｓ５）。フィルムの読込みが終了すると、図４に示すように、表示手段３５によりモニタ画面上にコマ画像とコマナンバーが対応付けられて表示される（Ｓ６）。
【００２３】
オペレータは画面を目視しながら対応するコマ画像に焼増し枚数を設定入力するとともに（Ｓ７）、焼増し対象画像のカラーバランスなど必要な補正入力処理を行なう（Ｓ８）。その後、画像出力装置５０に画像データが出力されてリプリントが作成される（Ｓ９）。
【００２４】
上述した実施形態では、特に説明していないが、コマ画像とコマナンバーの対応処理は、フィルム検定用の低解像度のプレスキャンによる読取画像に対して施され、そのときの入力データに基づいて適正な露光補正を行なった後に、コマ画像検出手段３１により特定されたコマ画像領域に基づいて対象コマ画像のみを高解像度で読み取る本スキャンが行なわれ、所要の画像処理が施された後にプリント出力されるものである。
【００２５】
上述した実施形態では、コマナンバー識別手段は、前記コマナンバー検出手段により検出されたコマナンバーの中心位置からフィルム長手方向に沿った前記コマ画像幅の半値（１／２）Ｌ内に画像中心が存在するコマ画像に当該コマナンバーを対応づけるように識別するものを説明したが、コマナンバー識別手段は、コマ画像検出手段により検出されたコマ画像のフィルム長手方向のコマ画像幅Ｌに存在するコマナンバーの全てを当該コマ画像に対応するコマナンバーとして識別するものであれば、上述した演算手順以外の手順でコマナンバーを識別することも可能である。
【図面の簡単な説明】
【００２６】
【図１】フィルム画像読取装置のブロック構成図
【図２】フィルム画像読取装置の要部のブロック構成図
【図３】コマ画像及びコマナンバー検出手順の説明図
【図４】コマ画像にコマナンバーが対応付けられて表示される画面の説明図
【図５】フローチャート
【符号の説明】
【００２７】
３１：コマ画像検出手段
３２：コマナンバー検出手段
３３：コマナンバー識別手段
３５：表示手段
【図１】
2005204209.tif 000003
【図２】
2005204209.tif 000004
【図５】
2005204209.tif 000005
【図３】
2005204209.tif 000006
【図４】
2005204209.tif 000007